(57)【要約】【課題】室内を加湿しつつ効果的にかつ確実にウィルスを不活性化して死滅させることができる加湿装置および空気調和機および加湿機能を有する空気清浄機を提供する。【解決手段】室内から吸い込んだ空気を蒸発部１４により加湿して室内に吹き出す加湿通路(排気通路１５,吸気通路１６)と、吸気通路１６内に配置されたバイオフィルタ１８とを備える。上記吸気通路１６の吸込側から吸い込まれた室内の加湿された空気の一部が、蒸発部１４の上流側に配置されたバイオフィルタ１８を通過することにより、バイオフィルタ１８に、免疫反応に不可欠な水分を連続して補給する。【選択図】図１
2005344986.tif 000002
【特許請求の範囲】
【請求項１】
被加湿空間から吸い込んだ空気を加湿手段により加湿して上記被加湿空間に吹き出す加湿通路と、
上記加湿通路内に配置されたバイオフィルタとを備えたことを特徴とする加湿装置。
【請求項２】
請求項１に記載の加湿装置において、
上記加湿手段(１４)の上流側に上記バイオフィルタ(１８)が配置され、
上記加湿手段(１４)から上記被加湿空間に吹き出した加湿空気の少なくとも一部が上記加湿通路(１５,１６)の吸込側から上記バイオフィルタ(１８)を介して吸い込まれることを特徴とする加湿装置。
【請求項３】
請求項１に記載の加湿装置において、
上記加湿手段の下流側に上記バイオフィルタが配置され、
上記加湿手段により加湿された空気の少なくとも一部が上記バイオフィルタを介して上記加湿通路から吹き出すことを特徴とする加湿装置。
【請求項４】
請求項１乃至３のいずれか１つに記載の加湿装置において、
上記加湿手段は、ヒータにより水を加熱することにより蒸気を発生させる加熱方式の加湿手段か、または、水を吸水材に含ませて気化させる気化方式の加湿手段か、または、超音波振動により水を霧状にして蒸発させる超音波方式の加湿手段であることを特徴とする加湿装置。
【請求項５】
請求項１に記載の加湿装置において、
上記加湿手段は、水を吸水材に含ませて気化させる気化フィルタ(２４)を有し、
上記気化フィルタ(２４)が上記バイオフィルタであることを特徴とする加湿装置。
【請求項６】
請求項１乃至５のいずれか１つに記載の加湿装置を用いたことを特徴とする空気調和機。
【請求項７】
請求項６に記載の空気調和機において、
室外ユニット(１０５)と室内ユニット(１０２)とを備え、
上記室外ユニット(１０５)側に上記加湿装置の加湿手段(１０４)が配置され、
上記室内ユニット(１０２)内の熱交換器(１１１)の上流側に上記加湿装置のバイオフィルタ(１５２)が配置されると共に、
上記室内ユニット(１０２)内に配置された送風ファン(１１２)によって、上記加湿装置のバイオフィルタ(１５２)と上記熱交換器(１１１)を介して吸い込まれた空気を、上記室外ユニット(１０５)側に配置された上記加湿装置の加湿手段(１０４)から供給された加湿空気と共に室内に吹き出すことを特徴とする空気調和機。
【請求項８】
請求項１乃至５のいずれか１つに記載の加湿装置を用いたことを特徴とする加湿機能を有する空気清浄機。
【発明の詳細な説明】
【技術分野】
【０００１】
この発明は、加湿装置および空気調和機および加湿機能を有する空気清浄機に関する。
【背景技術】
【０００２】
従来、加湿装置としては、室内の相対湿度を一定以上にすることにより、インフルエンザウィルスを不活性化させることが知られている。
【０００３】
しかしながら、上記加湿装置では、積極的にウィルスを除去できないという欠点がある。また、上記加湿装置では、室内の相対湿度を一定以上にすることによりウィルスが一旦不活性化されても、乾燥すると再びウィルスが活性化したり、不活性化するまでに時間がかかったりするため、効果的にかつ確実にウィルスを不活性化して死滅させることができないという問題がある。
【０００４】
なお、上記従来技術は、その技術分野において一般的に知られている周知の技術を用いたもので、本発明に関連する発明の先行技術文献を見出せず、特に先行技術文献情報を記載していない。
【発明の開示】
【発明が解決しようとする課題】
【０００５】
そこで、この発明の目的は、室内を加湿しつつ効果的にかつ確実にウィルスを不活性化して死滅させることができる加湿装置を提供することにある。
【０００６】
また、この発明の目的は、上記加湿装置を用いた空気調和機および加湿機能を有する空気清浄機を提供することにある。
【課題を解決するための手段】
【０００７】
上記目的を達成するため、この発明の加湿装置は、被加湿空間から吸い込んだ空気を加湿手段により加湿して上記被加湿空間に吹き出す加湿通路と、上記加湿通路内に配置されたバイオフィルタとを備えたことを特徴とする。ここで、「バイオフィルタ」とは、インフルエンザウィルス等のウィルスを不活性化する抗体を用いたものである。
【０００８】
上記構成の加湿装置によれば、被加湿空間から吸い込んだ空気を加湿手段により加湿して加湿通路から被加湿空間に吹き出すので、加湿通路内に配置されたバイオフィルタは、被加湿空間から加湿空気の一部が加湿通路に吸い込まれて戻ることによって、免疫反応に不可欠な水分がバイオフィルタに保たれる。そして、上記バイオフィルタは、通過する空気中のウィルスなどを抗体による免疫反応によって不活性化して死滅させる。したがって、水分が保たれたバイオフィルタを被加湿空間から吸い込んだ空気が通過するので、被加湿空間を加湿しつつ効果的にかつ確実にウィルスを不活性化して死滅させることができる。上記加湿通路内に、被加湿空間から吸い込んだ空気を加湿通路を介して被加湿空間に吹き出すための送風ファンを配置してもよいし、加湿通路外の送風手段により加湿通路内に被加湿空間の空気を流すようにしてもよい。
【０００９】
また、一実施形態の加湿装置は、上記加湿手段の上流側に上記バイオフィルタが配置され、上記加湿手段から上記被加湿空間に吹き出した加湿空気の少なくとも一部が上記加湿通路の吸込側から上記バイオフィルタを介して吸い込まれることを特徴とする。
【００１０】
上記実施形態の加湿装置によれば、上記加湿手段から被加湿空間に吹き出した加湿空気の少なくとも一部が加湿通路の吸込側から吸い込まれ、加湿手段の上流側に配置されたバイオフィルタを通過するので、免疫反応に不可欠な水分をバイオフィルタに補給する手段を別に設ける必要がなく、低コストでバイオフィルタを活性化させることができる。
【００１１】
また、一実施形態の加湿装置は、上記加湿手段の下流側に上記バイオフィルタが配置され、上記加湿手段により加湿された空気の少なくとも一部が上記バイオフィルタを介して上記加湿通路から吹き出すことを特徴とする。
【００１２】
上記実施形態の加湿装置によれば、上記加湿手段により加湿された空気が加湿通路から吹き出すとき、加湿手段の下流側に配置されたバイオフィルタを加湿空気の少なくとも一部が通過するので、免疫反応に不可欠な水分をバイオフィルタに補給する手段を別に設ける必要がなく、低コストでバイオフィルタを活性化させることができる。
【００１３】
また、一実施形態の加湿装置は、上記加湿手段は、ヒータにより水を加熱することにより蒸気を発生させる加熱方式の加湿手段か、または、水を吸水材に含ませて気化させる気化方式の加湿手段か、または、超音波振動により水を霧状にして蒸発させる超音波方式の加湿手段であることが望ましい。
【００１４】
また、一実施形態の加湿装置は、上記加湿手段が、水を吸水材に含ませて気化させる気化フィルタを有し、上記気化フィルタが上記バイオフィルタであることを特徴とする。
【００１５】
上記実施形態の加湿装置によれば、上記加湿手段の気化フィルタであるバイオフィルタにより、水を吸水材に含ませて気化させるので、免疫反応に不可欠な水分をバイオフィルタに効率よくかつ確実に補給でき、水分をバイオフィルタに補給する手段を別に設ける必要がなく、低コストでバイオフィルタを活性化させることができる。また、気化フィルタがバイオフィルタを兼用することで、構造を簡略化でき、省スペース化を図れる。
【００１６】
また、この発明の空気調和機は、上記いずれか１つの加湿装置を用いたことを特徴とする。
【００１７】
上記構成の空気調和機によれば、上記加湿装置によって、被加湿空間を加湿しつつ効果的にかつ確実にウィルスを不活性化して死滅させる機能を有する空気調和機を実現できる。
【００１８】
また、一実施形態の空気調和機は、室外ユニットと室内ユニットとを備え、上記室外ユニット側に上記加湿装置の加湿手段が配置され、上記室内ユニット内の熱交換器の上流側に上記加湿装置のバイオフィルタが配置されると共に、上記室内ユニット内に配置された送風ファンによって、上記加湿装置のバイオフィルタと上記熱交換器を介して吸い込まれた空気を、上記室外ユニット側に配置された上記加湿装置の加湿手段から供給された加湿空気と共に室内に吹き出すことを特徴とする。
【００１９】
上記実施形態の空気調和機によれば、上記室内ユニットにおいて、送風ファンによってバイオフィルタと熱交換器を介して吸い込まれた空気が、室外ユニット側に配置された加湿装置の加湿手段から供給された加湿空気と共に室内に吹き出すので、室内ユニット内の熱交換器の上流側に配置されたバイオフィルタに免疫反応に不可欠な水分が保たれる。したがって、水分が保たれたバイオフィルタを室内空気が通過するので、室内を加湿しつつ効果的にかつ確実にウィルスを不活性化して死滅させることができる。
【００２０】
また、この発明の加湿機能を有する空気清浄機は、上記いずれか１つの加湿装置を用いたことを特徴とする。
【００２１】
上記実施形態の加湿機能を有する空気清浄機によれば、空気を清浄化すると共に、被加湿空間を加湿しつつ、水分が保たれたバイオフィルタにより効果的にかつ確実にウィルスを不活性化して死滅させることができる。
【発明の効果】
【００２２】
以上より明らかなように、この発明の加湿装置によれば、水分が保たれたバイオフィルタを被加湿空間の空気が通過するので、被加湿空間を加湿しつつ効果的にかつ確実にウィルスを不活性化して死滅させることができる。
【００２３】
また、一実施形態の加湿装置によれば、加湿通路の吸込側から吸い込まれた被加湿空間の加湿された空気の少なくとも一部が、加湿手段の上流側に配置されたバイオフィルタを通過することによって、免疫反応に不可欠な水分をバイオフィルタに補給する手段を別に設ける必要がなく、低コストでバイオフィルタのウィルス除去能力を活性化できる加湿装置を実現できる。
【００２４】
また、一実施形態の加湿装置によれば、加湿手段により加湿された空気が加湿通路から吹き出すときに、加湿手段の下流側のバイオフィルタを加湿空気の少なくとも一部が通過することによって、免疫反応に不可欠な水分をバイオフィルタに補給する手段を別に設ける必要がなく、低コストでバイオフィルタのウィルス除去能力を活性化できる加湿装置を実現できる。
【００２５】
また、一実施形態の加湿装置によれば、ヒータにより水を加熱することにより蒸気を発生させる加熱方式の加湿手段か、または、水を吸水材に含ませて気化させる気化方式の加湿手段か、または、超音波振動により水を霧状にして蒸発させる超音波方式の加湿手段を用いることによって、簡単な構成でかつ低コストでウィルス除去機能を有する加湿装置を実現できる。
【００２６】
また、一実施形態の加湿装置によれば、水を吸水材に含ませて気化させる気化方式の加湿手段の気化フィルタにバイオフィルタを用いることによって、免疫反応に不可欠な水分をバイオフィルタである気化フィルタに効率よくかつ確実に補給でき、水分をバイオフィルタに補給する手段を別に設ける必要がなく、低コストでバイオフィルタを活性化させることができる。また、気化フィルタがバイオフィルタを兼用することで、構造を簡略化して省スペース化が図れる。
【００２７】
また、この発明の空気調和機によれば、空調空間を加湿しつつ効果的にかつ確実にウィルスを不活性化して死滅させる機能を有する空気調和機を実現することができる。
【００２８】
また、一実施形態の空気調和機によれば、室内ユニットにおいて、送風ファンによって加湿装置のバイオフィルタと熱交換器を介して吸い込まれた空気が、室外ユニット側に配置された加湿装置の加湿手段から供給された加湿空気と共に室内に吹き出すことによって、水分が保たれたバイオフィルタを室内空気が通過するので、室内を加湿しつつ効果的にかつ確実にウィルスを不活性化して死滅させることができる。
【００２９】
また、この発明の加湿機能を有する空気清浄機によれば、被加湿空間の空気を清浄化すると共に、被加湿空間を加湿しつつ、水分が保たれたバイオフィルタにより効果的にかつ確実にウィルスを不活性化して死滅させることができる。
【発明を実施するための最良の形態】
【００３０】
以下、この発明の加湿装置および空気調和機および加湿機能を有する空気清浄機を図示の実施の形態により詳細に説明する。
【００３１】
（第１実施形態）
図１はこの発明の第１実施形態の加湿装置の構成を示す概略模式図であり、１０はケーシング、１１は上記ケーシング１０内に配置された水タンク、１２は上記水タンク１１の下側に配置され、上記水タンク１１と連結部(図示せず)を介して接続された水槽、１３は上記水タンク１２の下端に一端が接続された連絡配管、１４は上記連絡配管１３の他端に下端が接続された加湿手段の一例としての円筒形状の蒸発部である。上記蒸発部１４には、水槽１２から供給された水が満たされている。上記蒸発部１４の上側に、上側に向かって徐々に細くなった筒状の排気通路１５を配置している。
【００３２】
また、上記加湿装置は、排気通路１５の側面に一端が接続された吸気通路１６と、その吸気通路１６の入口近傍に配置された吸気ファン１７と、上記吸気通路１６内の吸気ファン１７の上流側に配置されたバイオフィルタ１８と、そのバイオフィルタ１８のさらに上流側に配置されたプレフィルタ１９とを備えている。上記吸気通路１６と排気通路１５で加湿通路を構成している。
【００３３】
上記バイオフィルタ１８は、インフルエンザウィルスを不活性化するＩgY抗体を用いたものである。また、上記バイオフィルタ１８のフィルタ繊維に調湿素材(ゼオライト,ナイロン,吸水性ポリマなど)を用いることによって、フィルタ繊維に水分を保つことが可能となり、抗体による免疫反応が活性化される。
【００３４】
上記構成の加湿装置において、吸気ファン１７によりプレフィルタ１９,バイオフィルタ１８を介して吸い込まれた空気が吸気通路１６を通って蒸発部１４の排気通路１５内に流入し、蒸発部１４のヒータ(図示せず)の加熱により発生した蒸気と共に排気通路１５上部から加湿空気として被加湿空間である室内に吹き出す。
【００３５】
そして、上記加湿装置から室内に吹き出した加湿空気の一部が吸気通路１６の吸込側からバイオフィルタ１８を介して吸い込まれるので、調湿素材を用いて形成されたバイオフィルタ１８に、免疫反応に不可欠な水分を連続して補給しつつ、効果的にかつ確実にウィルスを不活性化して死滅させることができる。
【００３６】
上記バイオフィルタ１８では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００３７】
上記構成の加湿装置によれば、水分が保たれたバイオフィルタ１８を被加湿空間の空気が通過するので、被加湿空間を加湿しつつ効果的にかつ確実にウィルスを不活性化して死滅させることができる。
【００３８】
また、吸気通路１６の吸込側から吸い込まれた被加湿空間の加湿された空気の少なくとも一部が、蒸発部１４の上流側に配置されたバイオフィルタ１８を通過することによって、免疫反応に不可欠な水分をバイオフィルタ１８に補給する手段を別に設ける必要がなく、低コストでバイオフィルタ１８のウィルス除去能力を活性化できる。
【００３９】
また、上記蒸発部１４のヒータ(図示せず)により蒸気を発生させる加熱方式の加湿手段を用いることによって、簡単な構成でかつ低コストでウィルス除去機能を有する加湿装置を実現することができる。
【００４０】
なお、上記第１実施形態では、バイオフィルタ１８を加湿手段としての蒸発部１４の上流側に配置したが、バイオフィルタを加湿手段の下流側に配置してもよい。この場合、加湿手段により加湿された空気の少なくとも一部がバイオフィルタを介して加湿通路から吹き出すようにする。それによって、加湿手段により加湿された空気が加湿通路から吹き出すときに、加湿空気の少なくとも一部がバイオフィルタを通過するので、免疫反応に不可欠な水分をバイオフィルタに補給する手段を別に設ける必要がなく、低コストでバイオフィルタのウィルス除去能力を活性化できる。
【００４１】
（第２実施形態）
図２はこの発明の第２実施形態の加湿装置の構成を示す概略模式図であり、２０はケーシング、２１は上記ケーシング１内に配置された水タンク、２２は上記水タンク２１の下側に配置され、上記水タンク１１と連結部(図示せず)を介して接続された水槽、２３は上記水槽２２に下側が浸された気化フィルタ、２４は上記気化フィルタ２３の下流側の排気通路２７に配置された送風ファン、２５は上記気化フィルタ２３の上流側の吸気通路２６に配置されたプレフィルタである。上記吸気通路２６と排気通路２７で加湿通路を構成している。
【００４２】
上記気化フィルタ２３は、水を含ませて気化させる吸水材としてのフィルタ繊維に、インフルエンザウィルスを不活性化するＩgY抗体を担持したものである。また、上記気化フィルタ２３のフィルタ繊維に調湿素材(ゼオライト,ナイロン,吸水性ポリマなど)を用いることによって、フィルタ繊維に水分を保つことが可能となり、抗体による免疫反応が活性化される。上記気化フィルタ２３と送風ファン２４で加湿手段を構成している。
【００４３】
上記送風ファン２４は、例えば室内空気の相対湿度に応じて、オンオフするかまたは回転数を制御することにより加湿能力を制御する。
【００４４】
上記構成の加湿装置によれば、水分が保たれた気化フィルタ２３(バイオフィルタ)を被加湿空間の空気が通過するので、被加湿空間を加湿しつつ効果的にかつ確実にウィルスを不活性化して死滅させることができる。
【００４５】
また、水を吸水材に含ませて気化させる気化方式の加湿手段を用いることによって、簡単な構成でかつ低コストでウィルス除去機能を有する加湿装置を実現できる。
【００４６】
また、水を吸水材に含ませて気化させる気化方式の加湿手段の気化フィルタ２３にバイオフィルタを用いることによって、免疫反応に不可欠な水分をバイオフィルタである気化フィルタ２３に効率よくかつ確実に補給でき、水分をバイオフィルタに補給する手段を別に設ける必要がなく、低コストでバイオフィルタを活性化させることができる。
【００４７】
（第３実施形態）
図３はこの発明の第３実施形態の加湿装置の構成を示す概略模式図であり、この第３実施形態の加湿装置は、第２実施形態の加湿装置の構成にヒータ２８を追加したものである。
【００４８】
図３に示すように、気化フィルタ２３とプレフィルタ２５との間にヒータ２８を配置している。上記ヒータ２８は、例えば室内空気の相対湿度に応じてオンオフすることにより加湿能力を制御する。
【００４９】
上記第３実施形態の加湿装置は、第２実施形態の加湿装置と同様の効果を有すると共に、気化フィルタ２３を通過する空気が上流側でヒータ２８により加熱されることにより、気化フィルタ２３からの気化が促進され、加湿量を増大させることができ、加湿能力を向上できる。
【００５０】
（第４実施形態）
図４はこの発明の第４実施形態の加湿装置を用いた空気調和機の構成を示す概略模式図であり、１０２は室内ユニット、１０５は上記室内ユニット１０２に連絡配管１３１,１３２を介して接続された室外ユニット、１０４は上記室内ユニット１０２に加湿ダクト１０６を介して接続された加湿手段の一例としての加湿ユニットである。
【００５１】
また、図５はこの第４実施形態の空気調和機の構成図を示している。上記室外ユニット１０５は、圧縮機１２１と、上記圧縮機１２１の吐出側に接続された四路切換弁１２２と、上記四路切換弁１２２の一端に一端が接続された室外熱交換器１２４と、上記室外熱交換器１２４の他端に一端が接続された電動膨張弁１２５と、上記電動膨張弁１２５の他端に一端が接続されたフィルタ１２６と、上記フィルタ１２６の他端に一端が接続された閉鎖弁１２７と、上記圧縮機１２１の吸込側に一端が接続されたアキュムレータ１２３と、上記アキュムレータ１２３の他端に四路切換弁１２２を介して一端が接続された閉鎖弁１２８とを有している。
【００５２】
また、上記加湿ユニット１０４は、加湿ロータ１４１と、ヒータ１４２と、加湿ファン１４３と、吸湿ファン１４６と、上記吸湿ファン１４６を回転駆動するモータ１４５とを有している。上記加湿ロータ１４１は、シリカゲル,ゼオライト,アルミナ等の吸着材が例えばハニカム状または多孔多粒状に成形されており、軸を中心に加湿ロータ用モータ(図示せず)によって回転する。上記加湿ロータ１４１は、吸湿ファン１４６により吸湿通路を流れる空気から吸湿する(水分を吸着する)。一方、上記加湿通路の加湿ロータ１４１よりも上流側のヒータ１４２で加熱された空気が加湿ロータ１４１を通るときに、加湿ロータ１４１によって加湿される(加湿ロータ１４１から水分を脱着する)。このように、上記吸湿通路の空気から加湿ロータ１４１が吸着した水分は、ヒータ１４２によって加熱された空気によって脱着されて、この空気が加湿される。そうして加湿された空気は、加湿ファン１４３によって加湿ダクト１０６に送られる。
【００５３】
また、上記室内ユニット１０２は、室内熱交換器１１１と、送風ファン１１２と、上記送風ファン１１２を回転駆動するモータ１１３と、室外からの加湿空気を供給する加湿ダクト１０６の出口に取り付けられた給気フィルタ１１４cとを有している。上記室内熱交換器１１１は、室外ユニット１０５の閉鎖弁１２７の他端と連絡配管１３２を介して一端が接続され、室外ユニット１０５の閉鎖弁１２８の他端と連絡配管１３１を介して他端が接続されている。
【００５４】
図６は上記室内ユニット１０２の構成を説明するための模式図であり、壁１６０の室内側に取り付けられたケーシング１５０内に室内熱交換器１１１を配置し、その室内熱交換器１１１の下流側に送風ファン１１２を配置している。また、上記ケーシング１５０内かつ室内熱交換器１１１の上流側に、プレフィルタ１５１,バイオフィルタ１５２,空気清浄フィルタ１５３を上流側から順に配置している。また、ケーシング１５０の背面側に、加湿ダクト１０６の一端が接続された給気フィルタ１１４cを配置している。図７はプレフィルタ１５１,バイオフィルタ１５２,空気清浄フィルタ１５３の配置の詳細を示す分解斜視図であり、図７では、ケーシング１５０の吸込口側にプレフィルタ１５１,バイオフィルタ１５２,空気清浄フィルタ１５３を順に配置している(図７において２つの空気清浄フィルタ１５３を左右に配置)。上記バイオフィルタ１５２と加湿ユニット１０４で加湿装置を構成している。
【００５５】
また、図６に示すように、屋外に室外ユニット１０５と加湿ユニット１０４が設置されており、上記加湿ユニット１０４から加湿ダクト１０６を介して供給された加湿空気は、給気フィルタ１１４cを通って室内熱交換器１１１の上流側に吹き出す。そうして、吹き出した加湿空気は、送風ファン１１２により室内熱交換器１１１を介して空調空気と共に室内に吹き出す。
【００５６】
上記構成の空気調和機によれば、室内ユニット１０２において、バイオフィルタ１５２と室内熱交換器１１を介して吸い込まれた空気が、室外ユニット１０５側に配置された加湿手段から供給された加湿空気と共に室内に吹き出すことによって、水分が保たれたバイオフィルタ１５２を室内空気が通過するので、免疫反応に不可欠な水分をバイオフィルタに補給する手段を別に設ける必要がなく、低コストでバイオフィルタのウィルス除去能力を活性化できる。したがって、被加湿空間を加湿しつつ効果的にかつ確実にウィルスを不活性化して死滅させる機能を有する空気調和機を実現することができる。
【００５７】
上記第１〜第４実施形態では、ヒータにより水を加熱することにより蒸気を発生させる加熱方式の加湿手段や、水を吸水材に含ませて気化させる気化方式の加湿手段を用いた加湿装置と、加湿ロータ方式の空気調和機について説明したが、超音波振動により水を霧状にして蒸発させる超音波方式の加湿手段をこの発明の加湿装置および空気調和機および加湿機能を有する空気清浄機に適用してもよい。
【００５８】
また、上記第１〜第４実施形態では、インフルエンザウィルスを不活性化するＩgY抗体を用いたバイオフィルタを備えた加湿装置およびその加湿装置を用いた空気調和機について説明したが、バイオフィルタは、これに限らず、免疫反応を利用してウィルスを不活性化する抗体を用いたものであればよい。
【００５９】
また、この発明の加湿装置を加湿機能を有する空気清浄機に適用してもよい。それによって、被加湿空間の空気を清浄化すると共に、被加湿空間を加湿しつつ、水分が保たれたバイオフィルタにより効果的にかつ確実にウィルスを不活性化して死滅させることができる加湿機能を有する空気清浄機を実現することができる。
【図面の簡単な説明】
【００６０】
【図１】図１はこの発明の第１実施形態の加湿装置の構成を示す概略模式図である。
【図２】図２はこの発明の第２実施形態の加湿装置の構成を示す概略模式図である。
【図３】図３はこの発明の第３実施形態の加湿装置の構成を示す概略模式図である。
【図４】図４はこの発明の第４実施形態の加湿装置を用いた空気調和機の構成を示す概略模式図である。
【図５】図５は上記空気調和機の構成図である。
【図６】図６は上記室内ユニットの構成を説明するための模式図である。
【図７】図７はプレフィルタ,バイオフィルタ,空気清浄フィルタの配置の詳細を示す分解斜視図である。
【符号の説明】
【００６１】
１０…ケーシング
１２…水槽
１３…連絡配管
１４…蒸発部
１５…排気通路
１６…吸気通路
１７…吸気ファン
１８…バイオフィルタ
１９…プレフィルタ
２０…ケーシング
２１…水タンク
２２…水槽
２３…気化フィルタ
２４…送風ファン
２５…プレフィルタ
２６…吸気通路
２７…排気通路
２８…ヒータ
１０２…室内ユニット
１０５…室外ユニット
１０４…加湿ユニット
１２１…圧縮機
１２２…四路切換弁
１２３…アキュムレータ
１２４…室外熱交換器
１２５…電動膨張弁
１２６…フィルタ
１２７…閉鎖弁
１２８…閉鎖弁
１４１…加湿ロータ
１４２…ヒータ
１４３…加湿ファン
１４６…吸湿ファン
１４５…モータ
【図１】
2005344986.tif 000003
【図２】
2005344986.tif 000004
【図３】
2005344986.tif 000005
【図４】
2005344986.tif 000006
【図５】
2005344986.tif 000007
【図６】
2005344986.tif 000008
【図７】
2005344986.tif 000009